(57)【要約】【課題】異形レンズが適用された読み取り装置において、色ずれを抑制できる鏡胴、原稿読み取り装置及び画像形成装置を提供すること。【解決手段】一次元状の撮像領域を有する撮像素子に原稿像を結像するための複数のレンズ２０１〜２０６を保持する光学ユニット１０。前記複数のレンズ２０１〜２０６は、少なくとも第１のグループ及び第２のグループを含む複数のグループに分けられている。第１の鏡胴１０１は、第１のグループのレンズ２０１を保持する。第２の鏡胴１０２は、第２のグループのレンズ２０２〜２０６を保持する。前記第１の鏡胴１０１及び前記第２の鏡胴１０２は、互いに固定される際に、前記複数のレンズ２０１〜２０６の光軸に対して垂直な平面においてスライドさせられることにより互いの位置関係を調整できる構造を有する。【選択図】図２
2008116482.tif 000002
【特許請求の範囲】
【請求項１】
一次元状の撮像領域を有する撮像素子に原稿像を結像するための複数のレンズを保持する鏡胴において、
前記複数のレンズは、少なくとも第１のグループ及び第２のグループを含む複数のグループに分けられており、
第１のグループのレンズを保持する第１の鏡胴と、
第２のグループのレンズを保持する第２の鏡胴と、
を備え、
前記第１の鏡胴及び前記第２の鏡胴は、互いに固定される際に、前記複数のレンズの光軸に対して垂直な平面においてスライドさせられることにより互いの位置関係を調整できる構造を有すること、
を特徴とする鏡胴。
【請求項２】
前記第１の鏡胴及び前記第２の鏡胴は、前記撮像領域の延在方向に対して垂直であって、かつ、前記複数のレンズの光軸に対して垂直である副走査方向にスライド可能な構造を有すること、
を特徴とする請求項１に記載の鏡胴。
【請求項３】
前記第１の鏡胴及び前記第２の鏡胴のそれぞれには、孔が形成されており、
前記第１の鏡胴と前記第２の鏡胴とは、前記孔を貫通する棒状部材により互いに固定され、
前記第１の鏡胴に形成された孔又は前記第２の鏡胴に形成された孔のいずれか一方は、他方よりも副走査方向における幅が広い形状を有すること、
を特徴とする請求項２に記載の鏡胴。
【請求項４】
前記第１の鏡胴及び前記第２の鏡胴のそれぞれは、前記複数のレンズの光軸に対して垂直な平面部を有し、
前記孔は、前記平面部を貫通するように形成されていること、
を特徴とする請求項３に記載の鏡胴。
【請求項５】
前記第１の鏡胴の平面部と前記第２の鏡胴の平面部との間には、所定の厚さを有するスペーサーが配置されていること、
を特徴とする請求項４に記載の鏡胴。
【請求項６】
前記スペーサーは、前記第１の鏡胴及び前記第２の鏡胴よりも摩擦係数が小さな材料により作製されていること、
を特徴とする請求項５に記載の鏡胴。
【請求項７】
前記第１の鏡胴又は前記第２の鏡胴のいずれか一方には、前記副走査方向に延びる溝が形成されており、
前記第１の鏡胴又は前記第２の鏡胴のいずれか他方には、前記溝と嵌合すべき凸部が形成されていること、
を特徴とする請求項２ないし請求項６のいずれかに記載の鏡胴。
【請求項８】
前記第１の鏡胴及び前記第２の鏡胴は、前記撮像領域の延在方向に対して平行な主走査方向にスライド可能な構造を有すること、
を特徴とする請求項１に記載の鏡胴。
【請求項９】
前記複数のレンズは、前記撮像領域の延在方向に長手方向を有すること、
を特徴とする請求項１ないし請求項８のいずれかに記載の鏡胴。
【請求項１０】
前記複数のレンズにより構成されるレンズ系全体の焦点距離の絶対値の逆数に対する前記第１の鏡胴が保持するレンズにより構成されるレンズ系の焦点距離の絶対値の逆数の比の値が２以下であること、
を特徴とする請求項１ないし請求項９のいずれかに記載の鏡胴。
【請求項１１】
請求項１ないし請求項１０のいずれかに記載の鏡胴を備えた原稿読み取り装置であって、
前記撮像素子は、前記一次元状の撮像領域の延在方向と直交する方向に原稿を走査して前記原稿像を読み取ること、
を特徴とする原稿読み取り装置。
【請求項１２】
請求項１１に記載の原稿読み取り装置を備えること、
を特徴とする画像形成装置。
【発明の詳細な説明】
【技術分野】
【０００１】
本発明は、鏡胴、原稿読み取り装置及び画像形成装置に関し、より特定的には、一次元状の撮像領域を有する撮像素子に原稿像を結像するための複数のレンズを保持する鏡胴、原稿読み取り装置及び画像形成装置に関する。
【背景技術】
【０００２】
デジタルカラー複写機やカラースキャナ等の読み取り装置には、撮像素子として一次元の読み取り領域を有するラインリニアセンサが設けられると共に、ラインリニアセンサに画像を結像させるための読み取りレンズが設けられる。従来、この読み取りレンズには、ラインリニアセンサの読み取り領域が一次元であるにもかかわらず、光学特性の問題により、特許文献１及び特許文献２に示すように、光軸回りに回転対称な丸形のレンズが採用されていた。以下に、説明する。
【０００３】
レンズ及びレンズを保持する玉枠については、一般的に、丸形のレンズ及び玉枠の方が、丸形以外のレンズ及び玉枠よりも精度良く加工できる。また、レンズ及び玉枠に偏芯や組み込み時のガタツキが発生して光学特性が劣化したとしても、レンズ及び玉枠が丸形を有しているので、レンズ及び玉枠を回転させることにより、偏芯やガタツキによる光学特性の劣化を補うようにレンズ及び玉枠を配置することができる。そのため、レンズ及び玉枠は、丸形であることが好ましかった。
【０００４】
ところで、近年、デジタルカラー複写機やカラースキャナ等の読み取り装置において、小型化の要求が高まっている。そのため、前記のような丸形のレンズではなく、一次元の読み取り領域に対応する部分以外の部分を取り除いた異形レンズの採用が考えられている。しかしながら、異形レンズは、光軸周りに回転対称な形状ではないため、前記のような偏芯やガタツキが発生している場合には、レンズを回転させることにより光学特性の劣化を補うことができない。その結果、レンズの通過時において光が分散してしまい、ラインリニアセンサにおいて色ずれが発生してしまう。
【特許文献１】特開２０００−２４１６９３号公報
【特許文献２】特開平１１−１９１８３０号公報
【発明の開示】
【発明が解決しようとする課題】
【０００５】
そこで、本発明の目的は、異形レンズが適用された読み取り装置において、色ずれを抑制できる鏡胴、原稿読み取り装置及び画像形成装置を提供することである。
【課題を解決するための手段】
【０００６】
本発明は、一次元状の撮像領域を有する撮像素子に原稿像を結像するための複数のレンズを保持する鏡胴において、前記複数のレンズは、少なくとも第１のグループ及び第２のグループを含む複数のグループに分けられており、第１のグループのレンズを保持する第１の鏡胴と、第２のグループのレンズを保持する第２の鏡胴と、を備え、前記第１の鏡胴及び前記第２の鏡胴は、互いに固定される際に、前記複数のレンズの光軸に対して垂直な平面においてスライドさせられることにより互いの位置関係を調整できる構造を有すること、を特徴とする。
【０００７】
本発明によれば、第１の鏡胴と第２の鏡胴とをスライドさせて位置合わせを行うことにより、色ずれを補正することができる。
【０００８】
本発明において、前記第１の鏡胴及び前記第２の鏡胴は、前記撮像領域の延在方向に対して垂直であって、かつ、前記複数のレンズの光軸に対して垂直である副走査方向にスライド可能な構造を有することが好ましい。これは、主走査方向における色ずれについては、メモリを用いて画像処理を行うことで比較的容易に補正することができるのに対して、副走査方向における色ずれは画像処理を行う際に、大容量のメモリが必要となりコストがかかるためである。
【０００９】
本発明において、前記第１の鏡胴及び前記第２の鏡胴のそれぞれには、孔が形成されており、前記第１の鏡胴と前記第２の鏡胴とは、前記孔を貫通する棒状部材により互いに固定され、前記第１の鏡胴に形成された孔又は前記第２の鏡胴に形成された孔のいずれか一方は、他方よりも副走査方向における幅が広い形状を有することが好ましい。これにより、第１の鏡胴の孔と第２の鏡胴の孔とを連通させて棒状部材を挿入した場合でも、副走査方向に第１の鏡胴と第２の鏡胴とをスライドさせて、これらの位置関係を調整できる。
【００１０】
本発明において、前記第１の鏡胴及び前記第２の鏡胴のそれぞれは、前記複数のレンズの光軸に対して垂直な平面部を有し、前記孔は、前記平面部を貫通するように形成されていることが好ましい。また、本発明において、前記第１の鏡胴の平面部と前記第２の鏡胴の平面部との間には、所定の厚さを有するスペーサーが配置されていることが好ましい。スペーサーを配置することにより、第１の鏡胴と第２の鏡胴との間隔を調整することが可能となる。その結果、レンズの光学特性を最適なものに近づけることが可能となる。
【００１１】
本発明において、前記スペーサーは、前記第１の鏡胴及び前記第２の鏡胴よりも摩擦係数が小さな材料により作製されていることが好ましい。これにより、第１の鏡胴と第２の鏡胴とを容易にスライドさせることができるようになる。
【００１２】
本発明において、前記第１の鏡胴又は前記第２の鏡胴のいずれか一方には、前記副走査方向に延びる溝が形成されており、前記第１の鏡胴又は前記第２の鏡胴のいずれか他方には、前記溝と嵌合すべき凸部が形成されていることが好ましい。このように、溝と凸部とからなるガイド機構が設けられることにより、スライド方向を副走査方向にのみ限定できるようになる。
【００１３】
本発明において、前記第１の鏡胴及び前記第２の鏡胴は、前記撮像領域の延在方向に対して平行な主走査方向にスライド可能な構造を有していてもよい。
【００１４】
本発明において、前記複数のレンズは、前記撮像領域の延在方向に長手方向を有することが好ましい。これにより、レンズの不要な部分がなくなるので、鏡胴をコンパクト化できる。
【００１５】
本発明において、前記複数のレンズにより構成されるレンズ系全体の焦点距離の絶対値の逆数に対する前記第１の鏡胴が保持するレンズにより構成されるレンズ系の焦点距離の絶対値の逆数の比の値が２以下であることが好ましい。これにより、レンズの色ずれの感度を適切な感度にすることができる。その結果、第２の鏡胴に対する第１の鏡胴のスライド量と色ずれの変化量とが適正なものとなり、色ずれの補正を行いやすくなる。
【００１６】
本発明に係る鏡胴は、原稿読み取り装置に適用できる。より詳細には、原稿読み取り装置は、前記鏡胴を備え、前記撮像素子は、前記一次元状の撮像領域の延在方向と直交する方向に原稿を走査して前記原稿像を読み取る。また、前記原稿読み取り装置は、複写機等の画像形成装置に対して適用できる。
【発明を実施するための最良の形態】
【００１７】
以下に、本発明の実施形態に係る鏡胴、原稿読み取り装置及び画像形成装置について図面を参照しながら説明する。
【００１８】
（画像形成装置の概要）
図１は、本実施形態に係る鏡胴が搭載された画像読み取り装置の構成図である。該画像読み取り装置は、キャビネット１、プラテンガラス２、プラテンカバー３、ランプ４、リフレクタ５、第１のミラー６、第２のミラー７、第３のミラー８、光束規制板９、光学ユニット１０及び撮像素子１１を備える。
【００１９】
キャビネット１は各種光学部材を格納する筐体である。プラテンガラス２は、キャビネット１の上部開口に、原稿を載置するために取り付けられる。このプラテンガラス２に対しては、読み取るべき画像を下向きにして原稿（不図示）がセットされる。プラテンカバー３は、原稿の画像を読み取る際にプラテンガラス２の上に被せられ、原稿をプラテンガラス２に密着させる働きをする。
【００２０】
ランプ４は、キャビネット１の内部に設けられ、プラテンガラス２上にセットされた原稿（被読み取り物）に光を照射する。リフレクタ５は、このランプ４から発せられた光を効率良く原稿面に集光する。第１のミラー６は、原稿からの反射光を側方に反射させる。第２のミラー７は、この第１のミラー６からの反射光を下方に反射させる。第３のミラー８は、この第２のミラー７からの反射光を側方に反射させる。
【００２１】
ランプ４、リフレクタ５及び第１のミラー６は、図１に示すように１つの筐体に搭載され、図中矢印方向に速度Ｖで移動するようになっている。一方、第２のミラー７及び第３のミラー８は、図１に示すように１つの筐体に搭載され、図中矢印方向に速度Ｖ／２で移動するようになっている。これにより、移動中における原稿面と撮像素子１１との間の光の経路の長さが一定となる。
【００２２】
光束規制板９は、第３のミラー８と光学ユニット１０との間に配置される。光学ユニット１０は、内部に複数のレンズを有しており、原稿からの反射光によって得られる光学像を撮像素子１１に結像させる。撮像素子１１は、一次元状の撮像領域を有し、光学ユニット１０によって結像された光学像を撮像領域が延びる方向と直交する方向に走査して原稿像を読み取るＣＣＤ等のラインセンサ（読み取り手段）である。
【００２３】
以上のように構成された画像読み取り装置において、原稿の画像が読み取られる場合には、ランプ４から発せられかつリフレクタ５によって集光された光が原稿に照射され、これによって得られた原稿からの光学像（反射光）が第１のミラー６、第２のミラー７及び第３のミラー８によって順次反射される。そして、第３のミラー８で反射された光学像は光束規制板９を透過し光学ユニット１０内のレンズに入射し、この光学ユニット１０内のレンズを透過した後、撮像素子１１上で結像される。撮像素子１１は、各々の画素ごとに入射光の強さに応じて光電変換を行い、これによって原稿画像に対応した画像信号（ＲＧＢ信号）を生成する。
【００２４】
（光学ユニットについて）
図２は、光学ユニット１０の外観斜視図である。図３（ａ）は、光学ユニット１０に含まれるレンズを、副走査方向から見たときの図である。図３（ｂ）は、光学ユニット１０に含まれるレンズを、主走査方向から見たときの図である。ここで、主走査方向とは、撮像素子１１の撮像領域が延びる方向と平行な方向を指し、副走査方向とは、光学ユニット１０に含まれるレンズの光軸と主走査方向とに垂直な方向を指す。具体的には、主走査方向及び副走査方向は、図２及び図３に示す矢印の方向である。
【００２５】
光学ユニット１０は、図２及び図３に示すように、第１の鏡胴１０１、第２の鏡胴１０２及び第１〜第６のレンズ２０１〜２０６を含む。第１〜第６のレンズ２０１〜２０６は、図３に示すように、物体側から像側に向かって、第１のレンズ２０１、第２のレンズ２０２、第３のレンズ２０３、第４のレンズ２０４、第５のレンズ２０５、第６のレンズ２０６の順に配置され、ダブルガウスレンズを採用している。更に、図２に示すように、第１〜第６のレンズ２０１〜２０６は、主走査方向に長手方向を有しており、丸形のレンズの上下がカットされた形状を有する。
【００２６】
第１〜第６のレンズ２０１〜２０６は、第１のグループ２００ａと第２のグループ２００ｂとの２つのグループに分けられている。より詳細には、第１のレンズ２０１は、第１のグループ２００ａに属しており、第２〜第６のレンズ２０２〜２０６は、第２のグループ２００ｂに属している。
【００２７】
第１の鏡胴１０１は、第１のグループ２００ａに属するレンズ（第１のレンズ２０１）を保持する。第２の鏡胴１０２は、第２のグループ２００ｂに属するレンズ（第２〜第６のレンズ２０２〜２０６）を保持する。そして、第１の鏡胴１０１及び第２の鏡胴１０２は、互いに固定される際に、第１の鏡胴１０１が副走査方向にスライドさせられることにより互いの位置関係を調整できる構造を有する。以下に、この構造について詳細に説明する。
【００２８】
第１の鏡胴１０１の主走査方向の両脇には、平面部２２ａ，ｂが形成されている。この平面部２２ａ，ｂは、第１〜第６のレンズ２０１〜２０６の光軸に対して垂直な平面を有している。平面部２２ａ，ｂには、これらを貫通する孔２３ａ，ｂが形成されている。
【００２９】
同様に、第２の鏡胴１０２の主走査方向の両脇には、平面部２７ａ，ｂが形成されている。この平面部２７ａ，ｂは、第１〜第６のレンズ２０１〜２０６の光軸に対して垂直な平面を有している。平面部２７ａ，ｂには、これらを貫通する孔２８ａ，ｂが形成されている。孔２３ａ，ｂは、孔２８ａ，ｂよりも副走査方向に大きな開口を有する。
【００３０】
更に、第１の鏡胴１０１の第２の鏡胴１０２と対向する側の面において、第１のレンズ２０１を挟むように、副走査方向に延びる溝２１ａ，ｂが形成される。第２の鏡胴１０２の第１の鏡胴１０１と対向する側の面において、第２のレンズ２０２を挟むように、副走査方向に延びる凸条２６ａ，ｂが形成される。凸条２６ａ，ｂは、第１の鏡胴１０１と第２の鏡胴１０２とを固定する際に溝２１ａ，ｂに嵌合するように、溝２１ａ，ｂに一致する位置に形成される。このように、凸条２６ａ，ｂを溝２１ａ，ｂに嵌合することにより、第１の鏡胴１０１と第２の鏡胴１０２とは、副走査方向にのみスライド可能となる。
【００３１】
第２の鏡胴１０２の副走査方向の両脇には、取り付け部２９ａ，ｂが設けられている。取り付け部２９ａ，ｂとキャビネット１とが螺子により固定されることにより、光学ユニット１０がキャビネット１に取り付けられる。
【００３２】
以上のように構成された光学ユニット１０を組み立てる際には、作製者は、凸条２６ａ，ｂを溝２１ａ，ｂに嵌合させ、更に、孔２３ａ，ｂと孔２８ａ，ｂとを連通させる。この後、第１〜第６のレンズ２０１〜２０６にテスト用の光を入射させて、色ずれの有無を確認しながら、副走査方向に第１の鏡胴１０１又は第２の鏡胴１０２をスライドさせて、色ずれが発生しないようにこれらを位置合わせする。最後に、孔２３ａ，ｂと孔２８ａ，ｂを貫通する螺子等の棒状部材により、第１の鏡胴１０１と第２の鏡胴１０２とを固定する。
【００３３】
なお、図２に示すように、第１の鏡胴１０１の平面部２２ａ，ｂと第２の鏡胴１０２の平面部２７ａ，ｂとの間には、第１の鏡胴１０１及び第２の鏡胴１０２の摩擦係数よりも小さな摩擦係数を有する材料（ＰＥＴ、フッ素樹脂シート等）で作製されたスペーサー３０ａ，ｂが設けられることが好ましい。これにより、第１のレンズ２０１と第２のレンズ２０２との間隔を所望の間隔に調節することが可能となり、最適な光学特性を得ることが可能となる。なお、レンズ間隔の詳細については、後述する。更に、スペーサー３０ａ，ｂが滑りやすい材料により作製されることにより、第１の鏡胴１０１と第２の鏡胴１０２との間の滑りがよくなり、容易に第１の鏡胴１０１と第２の鏡胴１０２とを位置合わせすることが可能となる。
【００３４】
（コンピュータシミュレーションの結果及び考察について）
以上の構成を有する光学ユニット１０について、前記効果を明確なものとするために、本願発明者は、以下に示すシミュレーションを行った。シミュレーションに用いるモデルとしては、図３に示すようなプラテンガラス２、第１〜第６のレンズ２０１〜２０６及び撮像素子１１の保護ガラス２１０からなるレンズ系を用いた。なお、プラテンガラス２、第１〜第６のレンズ２０１〜２０６及び保護ガラス２１０の各面には、ａ〜oの記号が付されている。
【００３５】
まず、本シミュレーションに用いたモデルの条件は、表１に示す通りである。
【００３６】
【表１】
2008116482.tif 000003
【００３７】
ｆ＝１００ｍｍ、λ＝５４６．０７ｎｍ、Ｆｎｏ＝５、ｍ＝−０．２２０３、Ｙ＝１５２．５ｍｍ、ω＝１５．７°
【００３８】
前記記号の意味は、以下の通りである。
ｆ：焦点距離  λ：基準波長（ｅ線）  Ｆｎｏ：Ｆナンバー  ｍ：倍率  Ｙ物体高  ω：半画角  Ｒ：曲率半径  Ｄ：面間隔  Ｎｄ：ｄ線の屈折率  νｄ：アッベ数
【００３９】
また、第１の鏡胴１０１が保持するレンズにより構成されるレンズ系の焦点距離の逆数をφ１とし、レンズ系全体の焦点距離の逆数をφｔとしたとき、以下の数値に設定されている。
｜φ１｜＝０．０１５１
｜φｔ｜＝０．０１
｜φ１｜／｜φｔ｜＝１．５１
【００４０】
以上のようなモデルにおいて、第１の鏡胴１０１を第２の鏡胴１０２に対して副走査方向にスライドさせたときの色ずれ量の変化量について、コンピュータによるシミュレーションを行った。図４は、該シミュレーションの結果を示すグラフである。縦軸は副走査方向の色ずれ量の変化量を示し、横軸は第２の鏡胴１０２に対する第１の鏡胴１０１の副走査方向へのずらし量を示す。より詳細には、図４は、横軸に示す量だけ第１の鏡胴１０１を第２の鏡胴１０２に対してずらした場合に、縦軸に示す量だけ色ずれ量が変化することを示す。色ずれ量は、６５０ｎｍの波長の光と４５０ｎｍの波長の光の照射位置の差を指す。
【００４１】
図４に示すように、第１の鏡胴１０１を第２の鏡胴１０２に対して副走査方向にスライドさせることにより、色ずれ量を制御できることが理解できる。従って、図２に示す光学ユニット１０において、副走査方向の上方向に色ずれが発生している場合には、下方向に第１の鏡胴１０１を移動させ、副走査方向の下方向に色ずれが発生している場合には、上方向に第１の鏡胴１０１を移動させることにより、色ずれを抑制できる。
【００４２】
次に、本願発明者は、副走査方向の色ずれの感度について検討を行った。その結果、本願発明者は、副走査方向の色ずれの感度の観点から、第１〜第６のレンズ２０１〜２０６により構成されるレンズ系の焦点距離の絶対値の逆数（パワー）に対する第１のレンズ２０１の焦点距離の絶対値の逆数（パワー）の比の値が２以下であることが好ましいことを発見した。これは、２つのパワーの比の値が２より大きくなると、第１の鏡胴１０１と第２の鏡胴１０２との副走査方向のずれ量を少し変化させるだけで色ずれ量が大きく変化してしまい（すなわち、色ずれの感度がよくなりすぎて）調整が困難になるためである。なお、下限については、色ずれの感度が低下するだけであるので、特に制限はない。
【００４３】
ここで、本願発明者は、表１に示す条件のモデルにおいて、色ずれの感度が妥当であるか否かについて検討を行った。まず、本実施形態に係る光学ユニット１０は、画素ピッチが９．３２５μｍの３ラインセンサを使った読み取り線密度が６００ｄｐｉのカラースキャナに用いられることを想定している。このような光学ユニット１０において、画像処理による副走査方向の色ずれ補正を行わない場合には、画素ピッチに対する色ずれの発生量の割合を、１／１０〜１／５程度に抑えておくことが好ましい。
【００４４】
前記のように、画素ピッチに対する色ずれの発生量の割合を抑制するためには、第１の鏡胴１０１を変化させる最小幅に対する色ずれ量の割合を、画素ピッチの１／１０よりも小さくしておく必要がある。ここで、本実施形態に係る光学ユニット１０では、第１の鏡胴１０１と第２の鏡胴１０２とをずらすことが可能な最小幅は、約０．０１ｍｍである。図４のグラフによれば、第１の鏡胴１０１と第２の鏡胴１０２とのずれが０．０１ｍｍのときには、色ずれ量は約０．５μｍとなっている。前記の通り、画素ピッチは９．３２５μｍであるので、画素ピッチに対する色ずれの発生量の割合は約１／１９となる。そのため、表１の条件のモデルでは、画素ピッチに対する色ずれの発生量の割合を、１／１０〜１／５程度に抑えることができていることが理解できる。すなわち、本実施形態に係るモデルが色ずれの感度の観点から妥当であることが理解できる。
【００４５】
（スペーサーの役割について）
本実施形態に係る光学ユニット１０では、第１の鏡胴１０１と第２の鏡胴１０２との間にスペーサー３０ａ，ｂが設けられている。このスペーサー３０ａ，ｂは、第１の鏡胴１０１と第２の鏡胴１０２との滑りをよくする役割を果たすと共に、第１のレンズ２０１と第２のレンズ２０２との間隔を調整する役割を果たす。以下に、このレンズの間隔の調整について、図５及び図６を参照しながら説明する。図５は、第１の鏡胴１０１及び第２の鏡胴１０２の、光軸と主走査方向とを含む面における断面構造図である。図６は、図５の間隔Ａを変化させたときに生じる像面湾曲量を示したグラフである。横軸は、間隔Ａの変化量を示し、縦軸は、像面湾曲量を示す。なお、シミュレーションに用いたモデルは、前記表１の条件のモデルである。
【００４６】
像面湾曲の補正を行う際には、図５の光学ユニット１０において、第３のレンズ２０３と第４のレンズ２０４との間隔Ａを調整する。より詳細には、図５の第２の鏡胴１０２と第３のレンズ２０３との間のＢの位置に、スペーサー（図示せず）を挿入して、第３のレンズ２０３と第４のレンズ２０４との間隔Ａを調整する。このように、第３のレンズ２０３と第４のレンズ２０４との間隔Ａを調整することにより、図６に示すように、像面湾曲量を変化させることができる。
【００４７】
ところで、図５のＢの位置にスペーサーを挿入した場合、第１のレンズ２０１と第２のレンズ２０２との間隔Ｃが狭くなってしまう。その結果、光学ユニット１０の光学特性が所望の光学特性から外れてしまう。そこで、第１の鏡胴１０１と第２の鏡胴１０２との間にスペーサー３０ａ，ｂを挿入して、第１のレンズ２０１と第２のレンズ２０２との間隔Ｃを所望の間隔にしている。すなわち、スペーサー３０ａ，ｂは、第１のレンズ２０１と第２のレンズ２０２との間隔Ｃを所望の間隔に維持し、光学ユニット１０全体の光学特性を所望の特性にする役割を果たす。
【００４８】
（その他の実施形態）
なお、前記実施形態では、第１の鏡胴１０１と第２の鏡胴１０２とは、副走査方向にのみスライドできるものとしたが、スライドできる方向はこれに限らない。例えば、第１の鏡胴１０１と第２の鏡胴１０２とは、主走査方向にスライドできるものであってもよい。この場合、溝２１ａ，ｂ及び凸条２６ａ，ｂは、主走査方向に延びるように形成される必要がある。更に、孔２８ａ，ｂは、孔２３ａ，ｂよりも主走査方向に大きな開口を有する必要がある。
【００４９】
但し、前記スライドできる方向は、主走査方向よりも、副走査方向であることが好ましい。これは、主走査方向における色ずれについては、メモリを用いて画像処理を行うことで比較的容易に補正することができるのに対して、副走査方向における色ずれは画像処理を行う際に、大容量のメモリが必要となりコストがかかるためである。
【００５０】
なお、光学ユニット１０は、原稿読み取り装置及び該原稿読み取り装置を備えた画像形成装置に対して適用することができる。
【００５１】
また、光学ユニット１０では、６枚のレンズを２つのグループに分けていたが、レンズの枚数及びグループ数はこれに限らない。
【図面の簡単な説明】
【００５２】
【図１】本実施形態に係る鏡胴が搭載された画像読み取り装置の構成図である。
【図２】光学ユニットの外観斜視図である。
【図３】図３（ａ）は、光学ユニットに含まれるレンズを、副走査方向から見たときの図である。図３（ｂ）は、光学ユニットに含まれるレンズを、主走査方向から見たときの図である。
【図４】第２の鏡胴に対する第１の鏡胴の副走査方向へのずらし量と副走査方向の色ずれ量の変化量との関係を示したグラフである。
【図５】第１の鏡胴及び第２の鏡胴の、光軸と主走査方向とを含む面における断面構造図である。
【図６】第３のレンズと第４のレンズとの間隔を変化させたときに生じる像面湾曲量を示したグラフである。
【符号の説明】
【００５３】
１０  光学ユニット
１１  撮像素子
２１ａ，ｂ  溝
２２ａ，ｂ，２７ａ，ｂ  平面部
２３ａ，ｂ，２８ａ，ｂ  孔
２６ａ，ｂ  凸条
２９ａ，ｂ  取り付け部
３０ａ，ｂ  スペーサー
１０１  第１の鏡胴
１０２  第２の鏡胴
２００ａ  第１のグループ
２００ｂ  第２のグループ
２０１  第１のレンズ
２０２  第２のレンズ
２０３  第３のレンズ
２０４  第４のレンズ
２０５  第５のレンズ
２０６  第６のレンズ
【図１】
2008116482.tif 000004
【図２】
2008116482.tif 000005
【図３】
2008116482.tif 000006
【図４】
2008116482.tif 000007
【図５】
2008116482.tif 000008
【図６】
2008116482.tif 000009